(57)【要約】【課題】通常用チューナと緊急地震速報受信用チューナを備えることにより、通常においてはラジオ放送を視聴でき、緊急地震速報信号を受信した場合には、即座に緊急地震速報を聞くことができる、コストが安価な緊急地震速報受信装置を提供する。【解決手段】１個の通常用チューナ２と、１個の緊急地震速報受信用チューナ３と、装置全体を制御するＣＰＵ１０と、前記ＣＰＵ１０に接続された音声信号切換部１１と、前記ＣＰＵ１０に接続された出力アンプ１３が備えられ、ＣＰＵ１０は、緊急地震速報信号が受信されない場合には前記通常用チューナ２からの出力を音声信号切換部１１を介して前記出力アンプ１３に出力し、緊急地震速報信号を前記緊急地震速報検出部１２が検出した場合には前記緊急地震速報受信用チューナ３からの出力を音声信号切換部１１を介して前記出力アンプ１３に出力する構成とした。【選択図】図1
0003157302.tif 000002
【実用新案登録請求の範囲】
【請求項１】
１個の通常のラジオ放送を受信する通常用チューナと、緊急地震速報検出部が接続された１個の緊急地震速報受信用チューナと、前記通常用チューナおよび前記緊急地震速報検出部が接続されたＣＰＵと、前記通常用チューナおよび前記緊急地震速報検出部ならびにＣＰＵに接続された音声信号切換部と、前記音声信号切換部および前記ＣＰＵに接続された出力アンプが備えられ、
前記ＣＰＵは、緊急地震速報信号が受信されない場合には前記通常用チューナからの出力を前記音声信号切換部を介して前記出力アンプに出力し、
前記緊急地震速報信号を前記緊急地震速報検出部が検出した場合には前記緊急地震速報受信用チューナからの出力を前記音声信号切換部を介して前記出力アンプに出力することを特徴とする緊急地震速報受信装置。
【請求項２】
前記緊急地震速報検出部は、前記緊急地震速報信号に含まれるマーク信号およびスペース信号を識別し、復調された信号を２値化する２値化手段と、
前記２値化手段が２値化した信号と、前記マーク信号と同じ周波数を有する周期信号との相互相関をとるマーク信号に関する相互相関手段と、
前記２値化手段が２値化した信号と、前記スペース信号と同じ周波数を有する周期信号との相互相関をとるスペース信号に関する相互相関手段と、
前記マーク信号に関する相互相関手段の出力信号の２乗値と、前記スペース信号に関する相互相関手段の出力信号の２乗値とを比較する比較手段と、
前記比較手段により比較した信号から緊急地震速報信号を検出する検出手段と、
が備えられたことを特徴とする請求項１に記載の緊急地震速報受信装置。  
【請求項３】
前記ＣＰＵの入力側には、前記出力アンプのレベルを設定するボリュームと前記ＦＭ放送の受信周波数を設定する操作スイッチが接続され、
前記ＣＰＵの出力側には、前記ラジオ放送の受信周波数を表示する液晶表示部が接続されていることを特徴とする請求項１に記載の緊急地震速報受信装置。
【請求項４】
前記緊急地震速報検出部には、前記緊急地震速報受信用チューナが前記緊急地震速報信号を受信した場合に緊急状態を表示する警報用ＬＥＤ表示灯が接続されていることを特徴とする請求項１または請求項２に記載の緊急地震速報受信装置。
【考案の詳細な説明】
【技術分野】
【０００１】
本考案は、大地震発生時に送信される緊急地震速報の信号を受信して警報を発する緊急地震速報受信装置に関する。
【背景技術】
【０００２】
近年、大規模地震やこの種の緊急地震速報受信装置は、電源コードを介して商用電源コンセントに接続され、常時商用電源から給電されて受信状態になっており、緊急警報信号を受信した場合に商用電源と付属のコンセントの間に介装されたスイッチ回路をオン状態に切り替えて、付属のコンセントに接続されたラジオ受信機やテレビジョン受信機を自動的に立ち上げて警報信号を発したり、画面に表示したりしている。特に最近は、大地震が発生した場合に、伝達速度が速く揺れの小さなＰ波を感知し、揺れの大きいＳ波が到達する直前に当該地域の放送局が緊急地震速報信号を放送し、当該地域の住民がこの放送を緊急地震速報受信装置で聞くことにより、大きな揺れに備えようとする試みがなされるようになった。この緊急地震速報信号を受信する装置として、特許文献１に示すような緊急警報放送受信機があった。
【０００３】
この緊急警報放送受信機は、異なるチャンネルの放送信号を受信する複数のチューナと、前記複数のチューナのそれぞれにおいて緊急警報放送信号が受信されたことを検出可能な緊急警報検出部と、放送信号を再生する再生部と、前記緊急警報検出部によって緊急警報放送信号が検出されたときに、当該緊急警報放送信号を受信したチューナから出力される緊急警報放送信号を前記再生部に再生させる制御部と、を備えることを特徴とするものである。
【先行技術文献】
【特許文献】
【０００４】
【特許文献１】特開２００９-１８８９０９号公報
【考案の概要】
【考案が解決しようとする課題】
【０００５】
しかしながら、特許文献１に示す緊急警報放送受信機にあっては、図５に示すように、通常用のチューナ１台とＥＷＳ（Emergency Warning System）用チューナ３台を使用しており、しかもメッセージの記録部を備えるものであるから、装置が大がかりになり、その結果、装置のコストも高くなるという不都合があった。
【０００６】
また、特許文献１に示す緊急警報放送受信機におけるＥＷＳ用チューナは、地震の警戒宣言、津波警報、都道府県知事または市町村長からの要請による緊急警報放送に対応するものであるが、この緊急警報放送よりもさらに緊急度が高く、信号音も異なる緊急地震速報信号に対応するものでないため、緊急地震速報の放送があっても緊急警報検出部が反応せず、大規模地震の発生があっても事前に知ることができず重大な結果を及ぼす惧れがあった。
【０００７】
本考案は前述した従来の問題点鑑みなされたものであり、１個のラジオ放送受信のチューナと１個の緊急地震速報受信用チューナを備えることにより、通常においてはラジオ放送を視聴することができ、緊急地震速報信号を受信した場合には、即座に緊急地震速報を聞くこともできる、コストが安価な緊急地震速報受信装置を提供するものである。
【課題を解決するための手段】
【０００８】
上記課題を解決するため、請求項１の考案にあっては、１個の通常のラジオ放送を受信する通常用チューナと、緊急地震速報検出部が接続された１個の緊急地震速報受信用チューナと、前記通常用チューナおよび前記緊急地震速報検出部が接続されたＣＰＵと、前記通常用チューナおよび前記緊急地震速報検出部ならびにＣＰＵに接続された音声信号切換部と、前記音声信号切換部および前記ＣＰＵに接続された出力アンプが備えられ、前記ＣＰＵは、前記緊急地震速報信号が受信されない場合には前記通常用チューナからの出力を前記音声信号切換部を介して前記出力アンプに出力し、前記緊急地震速報信号を前記緊急地震速報検出部が検出した場合には前記緊急地震速報受信用チューナからの出力を前記音声信号切換部を介して前記出力アンプに出力することを特徴とするものである。
【０００９】
また、請求項２の考案にあっては、前記緊急地震速報検出部は、前記緊急地震速報信号に含まれるマーク信号およびスペース信号を識別し、復調された信号を２値化する２値化手段と、前記２値化手段が２値化した信号と、前記マーク信号と同じ周波数を有する周期信号との相互相関をとるマーク信号に関する相互相関手段と、前記２値化手段が２値化した信号と、前記スペース信号と同じ周波数を有する周期信号との相互相関をとるスペース信号に関する相互相関手段と、前記マーク信号に関する相互相関手段の出力信号の２乗値と、前記スペース信号に関する相互相関手段の出力信号の２乗値とを比較する比較手段と、前記比較手段により比較した信号から緊急地震速報信号を検出する検出手段と、が備えられたことを特徴としている。  
【００１０】
また、請求項３の考案にあっては、前記ＣＰＵの入力側には、前記出力アンプのレベルを設定するボリュームと前記ラジオ放送の受信周波数を設定する操作スイッチが接続され、前記ＣＰＵの出力側には、前記ラジオ放送の受信周波数を表示する液晶表示部が接続されていることを特徴としている。
【００１１】
さらに、請求項４の考案にあっては、前記緊急地震速報検出部には、前記緊急地震速報受信用チューナが前記緊急地震速報信号を受信した場合に緊急状態を表示する警報用ＬＥＤ表示灯が接続されていることを特徴とするものである。
【考案の効果】
【００１２】
本考案によれば、通常の場合はラジオ放送を楽しむことができ、大規模地震発生時には本震の到着前に極めて早くその情報を知ることが可能であり、しかも電源に接続するだけで自動的に待機状態となり、さらに連続して使用しても消費電力も僅かであり、機能を簡略化することによりコストが安価であっても性能を損なうことない緊急地震速報受信装置を提供できるものである。
【図面の簡単な説明】
【００１３】
【図１】本考案に係る緊急地震速報受信装置を示すブロック図である。
【図２】本考案に係る緊急地震速報検出部の構成を示すブロック図である。
【図３】本考案に係る緊急地震速報受信装置の動作を示すフローチャートである。
【図４】本考案に係る緊急地震速報受信装置の動作を示すフローチャートである。
【図５】従来の緊急警報放送受信装置を示すブロック図である。
【考案を実施するための形態】
【００１４】
以下、本考案の実施形態を添付図面に基づいて説明する。図１は本考案に係る緊急地震速報受信装置のブロック図あり、この緊急地震速報受信装置は、アンテナ１と、通常用チューナ２と、緊急地震速報用チューナ３と、メイン基板内に装着されたＣＰＵ１０と、音声信号切換部１１と、緊急地震速報検出部１２と、出力アンプ１３と、スピーカ４と、警報用ＬＥＤ表示灯１４と、この装置が受信中であることを示す監視用ＬＥＤ表示灯１５と、操作用スイッチ１６と、音声信号増幅回路１８と、そのレベルを調整するボリューム１９と、から構成されている。また、この緊急地震速報受信装置には電源を供給する図示しないＡＣアダプタが接続されるものである。
【００１５】
通常用チューナ２と緊急地震速報用チューナ３は、アンテナ１を介してＦＭラジオ放送を受信する受信回路であり、公知の回路で構成されている。即ち、アンテナ１で受信したＦＭ帯の高周波を増幅するＲＦ回路、ＲＦ回路で増幅した高周波を中間周波数に変換するミキサー回路、中間周波数を増幅するＩＦ回路、中間周波数より可聴周波数に変換するための復調回路などを備えたものである。
【００１６】
通常用チューナ２は、当該地域における受信可能な周波数をランダムに受信できるものであり、通常のラジオと同様に、所望する音楽番組やその他の番組を聞くことができるものである。即ち、この通常用チューナ２で復調された信号は、音声信号切換部１１に出力され、ＣＰＵ１０により通常の場合（緊急地震速報のない場合）は、通常用チューナ２の出力が出力アンプ１３に出力されるようになっており、スピーカ４により音楽番組などの通常放送を視聴することができるものである。この通常用チューナ２でラジオ放送を視聴する場合は、後述する操作スイッチ１６で図示しないラジオスイッチをオンにして、所望の周波数を受信するものである。
【００１７】
一方、緊急地震速報用チューナ３は、当該地域における受信可能な周波数の中で、緊急地震速報を放送している特定の放送局の周波数にセットしておくものである。緊急地震速報放送時には、後述するように、緊急地震速報用チューナ３で復調された信号は音声信号切換部１１に出力されるとともに、緊急地震速報を検出する緊急地震速報検出部１２の出力により、ＣＰＵ１０が緊急時と判断して、音声信号切換部１１を切換えて緊急地震速報用チューナ３の信号を出力アンプ１３に出力するので、スピーカ４より緊急警報が報知され、警報用ＬＥＤ表示灯１４を点灯させるようになっている。
【００１８】
また、この緊急地震速報受信装置には、放送を受信した場合に、受信中であることを青色の点灯で知らせる監視用ＬＥＤ表示灯１５がＣＰＵ１０に接続されている。このＣＰＵ１０にはラジオ放送の受信局を選択するための操作スイッチ１６が接続されている。この操作スイッチ１６の図示しないアップダウンキーにより所望の放送局を選択できるようになっている。そして、その周波数は液晶表示部１７に表示されるものである。この選択した周波数は図示しないセットボタンでＣＰＵ１０の図示しないメモリに記憶されるものである。さらに、ボリューム１９は緊急地震速報を受信した時に報知する出力アンプ１３の音量レベルを設定するものである。
【００１９】
緊急地震速報用チューナ３には、緊急地震速報信号を検出するために緊急地震速報検出部１２が接続されている。この緊急地震速報検出部１２は、前記緊急地震速報信号に含まれるマーク信号およびスペース信号を識別し、復調された信号を２値化する２値化手段と、前記２値化手段が２値化した信号と、前記マーク信号と同じ周波数を有する周期信号との相互相関をとるマーク信号に関する相互相関手段と、前記２値化手段が２値化した信号と、前記スペース信号と同じ周波数を有する周期信号との相互相関をとるスペース信号に関する相互相関手段と、前記マーク信号に関する相互相関手段の出力信号の２乗値または絶対値と前記スペース信号に関する相互相関手段の出力信号の２乗値または絶対値とを比較する比較手段と、前記比較手段により比較した信号から緊急地震速報信号を検出する検出手段と、を備えたものである。
【００２０】
即ち、この緊急地震速報検出部１２は、図２に示すように、前記緊急地震速報用チューナ３で復調した音声信号を、バンドパスフィルタ１１１を通すことにより必要な周波数成分のみに帯域制限し、この信号を２値化手段である＋−比較器１１２でデジタル信号に変換し、このデジタル信号をマーク信号に関する相互相関手段であるマーク信号検出回路１２０と、スペース信号に関する相互相関手段であるスペース信号検出回路１３０に入力するものである。
【００２１】
マーク信号検出回路１２０は、発信器１２１によりマーク信号周波数（１０２４［Ｈｚ］）
の正弦波、余弦波、または矩形波、およびそれを９０度（π/２）移相器１２２を通して出力した９０度位相の異なる正弦波、余弦波、または矩形波をそれぞれ乗算器１２３、１２４により＋−比較器１１１の出力と乗算し、さらにそれぞれ１シンボル分加算器１２５、１２６により１シンボル期間（１/６４［ｓｅｃ］＝１５．６２５［ｍｓｅｃ］）加算することで相互関係をとり、１シンボル分加算器１２５、１２６の出力をそれぞれの２乗回路１２７、１２８でそれぞれ２乗し、それらを加算器１２９で加算するものである。なお、加算器１２５、１２６は１/２シンボル（１/１２８［ｓｅｃ］＝７．８１２５［ｍｓｅｃ］）でもよい。
【００２２】
同様に、スペース信号検出回路１３０は、発信器１３１によりスペース信号周波数（６４０［Ｈｚ］）の正弦波、余弦波、または矩形波、およびそれを９０度（π/２）移相器１３２を通して出力した９０度位相の異なる正弦波、余弦波、または矩形波をそれぞれ乗算器１３３、１３４により＋−比較器１１１の出力と乗算し、さらにそれぞれ１シンボル分加算器１３５、１３６により１シンボル期間（１/６４［ｓｅｃ］＝１５．６２５［ｍｓｅｃ］）加算することで相互関係をとり、１シンボル分加算器１２５、１２６の出力をそれぞれの２乗回路１３７、１３８でそれぞれ２乗し、それらを加算器１３９で加算するものである。
【００２３】
これらマーク信号検出回路１２０の加算器１２９により加算された信号と、スペース信号検出回路１３０の加算器１３９で加算された信号を比較器１４０で比較することにより２値信号を得る。そして、この２値信号を６４［ｂｉｔ/ｓ］符号検出器１４１に入力して緊急地震速報信号の符号パターンと比較照合することにより、緊急地震速報信号を検出するものである。この検出された緊急地震速報信号はＣＰＵ１０に出力される。
【００２４】
つぎに、上述のように構成された緊急地震速報受信装置において、最も一般的な使用方法である待機状態で緊急地震速報を受信した場合の動作を図３に基づいて説明する。
まず、緊急地震速報受信装置に電源となる図示しないＡＣアダプタを接続し、ＡＣアダプタのプラグを図示しないコンセントに差し込む。すると、緊急地震速報受信装置は自動的に作動状態となり（ステップＳ１）、監視用ＬＥＤ表示灯１５が点滅する。（ステップＳ２）。
【００２５】
次いで、ステップＳ３において、受信局の選定を行う。受信局の選定を行うためには、図１に示す操作スイッチ１６を操作して行う。この操作スイッチ１６は、図示しないアップボタン、ダウンボタンおよびセットボタンから構成されている。このアップボタンとダウンボタンを操作して、放送局の周波数を表示する液晶表示部１７を見ながら所望の放送局に合わせる。そして、ステップＳ４にて、アンテナ１の位置を調整することにより受信状態が良好な位置、即ち監視用ＬＥＤ表示灯１５が青色の点滅から点灯状態となる位置に固定する。次いで、セットボタンを押すことによりステップＳ５の待機状態となる。
【００２６】
この待機状態においては、緊急地震速報検出部１２は緊急地震速報用チューナ３からの音声信号を前述したマーク信号周波数とスペース信号周波数でサンプリングを行うことにより監視を実行するものであり、ＣＰＵ１０はこの状態で出力アンプ１３をディセーブル動作状態にコントロールすることにより、無音状態とする。この待機状態では、消費電力も装置全体で僅か０．８Ｗしか消費しないので、出願時点における電気代に換算しても約８．６円（１ヶ月当たり）にしかならず、待機状態における消費電力は問題となるレベルではない。
【００２７】
次に、この待機状態において、緊急地震速報が受信されると、ステップＳ６に進む。このステップ６においては、緊急地震速報検出部１２が緊急地震速報信号を検出し、即座に警報用ＬＥＤ表示灯１４を赤色に点灯させる（ステップＳ７）。そして、この警報用ＬＥＤ表示灯１４の点灯を１分間継続する。また、緊急地震速報検出部１２は緊急地震速報信号を検出するとＣＰＵ１０にもその信号を割り込み情報として送る。するとＣＰＵ１０は、この割り込み情報により、出力アンプ１３をイネーブル動作とし、音声増幅回路１８からの緊急地震速報信号の警告音を拡声してスピーカ４より流すものである（ステップＳ８）。
【００２８】
次いで、ステップＳ９に移り、ステップＳ７におけるＬＥＤ点灯とステップＳ８のスピーカよりの警告音が１分間続いたかどうかのチェックが行われる。この条件をクリアすればステップＳ１０の待機状態に移り、条件を満足しない場合は、それぞれステップＳ７またはステップＳ８にもどり、それぞれの動作を繰り返すものである。
【００２９】
次に、本考案の緊急地震速報受信装置が通常のラジオ放送受信時において、緊急地震速報を受信した場合の動作を図４に基づいて説明する。
先ず、ステップＳ１１において、前述の操作スイッチ１６によりラジオスイッチをＯＮとし、液晶表示部１７を見ながら所望の周波数に合わせると、通常用チューナの視聴状態となる（ステップＳ１２）
【００３０】
この通常用チューナの視聴状態で緊急地震速報用チューナ３が緊急地震速報を受信した場合（ステップＳ１３）は、緊急地震速報検出部１２が緊急地震速報信号をＣＰＵ１０に出力すると共に警報用ＬＥＤ表示灯１４を赤色に点灯させる。そして、ＣＰＵ１０は、音声信号切換部１１の信号出力を通常用チューナ２より緊急地震速報用チューナ３に切換えるものである（ステップＳ１５）。そのため、緊急地震速報用チューナ３で受信された緊急地震速報信号は出力アンプ１３で増幅され、スピーカ４より警報音として報知されるものである（ステップＳ１６）。
【００３１】
次いで、ステップＳ１７に移り、ステップＳ１４におけるＬＥＤ点灯とステップＳ１５のスピーカよりの警告音が１分間続いたかどうかのチェックが行われる。この条件をクリアすればステップＳ１８の通常用チューナ２の視聴状態に移り、条件を満足しない場合は、それぞれステップＳ１４またはステップＳ１５にもどり、それぞれの動作を繰り返すものである。
【００３２】
本考案の緊急地震速報受信装置は上述のように構成されたので、電源を接続するだけで自動的に動作することができ、通常においてはラジオ放送を聞くことができ、緊急地震速報信号を受信した場合には、即座に緊急地震速報を聞くことができる。また、ポイントとなる緊急地震速報検出部において、信号処理を簡単にし、しかも性能を損なうことなく機能を門族することができたので、コストが安価で、低消費電力な緊急地震速報受信装置を提供できるものである。
【符号の説明】
【００３３】
１はアンテナ
２は通常用チューナ
３は緊急地震速報用チューナ
４はスピーカ
１０はＣＰＵ
１１は音声信号切換部
１２は緊急地震速報検出部
１３は出力アンプ
１４は警報用ＬＥＤ表示灯
１５は監視用ＬＥＤ表示灯
１６は操作スイッチ
１７は液晶表示部
１８は音声信号増幅回路
１９はボリューム
１２０はマーク信号検出回路
１３０はスペース信号検出回路
１４０は比較器
【図１】
0003157302.tif 000003
【図２】
0003157302.tif 000004
【図３】
0003157302.tif 000005
【図４】
0003157302.tif 000006
【図５】
0003157302.tif 000007
【手続補正書】
【提出日】平成21年11月18日(2009.11.18)
【手続補正１】
【補正対象書類名】実用新案登録請求の範囲
【補正対象項目名】請求項３
【補正方法】変更
【補正の内容】
【請求項３】
前記ＣＰＵの入力側には、前記出力アンプのレベルを設定するボリュームとＦＭ放送の受信周波数を設定する操作スイッチが接続され、
前記ＣＰＵの出力側には、前記ラジオ放送の受信周波数を表示する液晶表示部が接続されていることを特徴とする請求項１に記載の緊急地震速報受信装置。